(57)【特許請求の範囲】
【請求項１】
屈曲加工性及び保形性のある塑性変形性合成樹脂製のカツラベース用保形材を用いて形成したカツラ用ベースであって、
前頭側片部材と該前頭側片部材から後頭側に向けて複数の延片を併設して櫛歯型フレームを形成したことを特徴とするカツラ用ベース。
【請求項２】
屈曲加工性及び保形性のある塑性変形性合成樹脂製のカツラベース用保形材を用いて形成したカツラ用ベースであって、
外周部材と平行状あるいは格子状に設けられた桟部材を設けたカツラ用ベース。
【請求項３】
カツラベース用保形材が線状材又は扁平テープ状材であることを特徴とする請求項１又は２記載のカツラ用ベース。
【請求項４】
カツラベース用保形材が被覆部材で被覆されていることを特徴とする請求項１〜３のいずれかに記載のカツラ用ベース。
【請求項５】
被覆部材が布、不織布、伸縮性材料、糸、ネット、フィルム、塗膜のいずれか一種又は複数であること特徴とする請求項４記載のカツラ用ベース。
【請求項６】
布あるいは不織布が樹脂塗布処理あるいは樹脂含浸処理したものであることを特徴とする請求項５記載のカツラ用ベース。
【請求項７】
被覆部材によって部分的に剛性を変化させた被覆されたカツラベース用保形材であることを特徴とする請求項４〜６のいずれかに記載のカツラ用ベース。
【請求項８】
請求項１〜７のいずれかに記載のカツラ用ベースに植毛されたネット及び／又は植毛された薄膜を被覆したカツラ。
【請求項９】
請求項１記載の櫛歯型フレームの延片の間から装着者の自毛を引きだして擬毛と自毛を混合して装着するタイプである薄毛用カツラであることを特徴とするカツラ。
【請求項１０】
植毛したネット及び／又は植毛した薄膜をベースとしたカツラにおいて、請求項３〜７のいずれかに記載のカツラ用ベースの保形材を、カツラの内面側であって縁部、こめかみ部又は中央部のいずれかに配置したことを特徴とするカツラ。
【発明の詳細な説明】
【技術分野】
【０００１】
本発明は、カツラ用保形材に関する。
【背景技術】
【０００２】
カツラは、主にベースとベースに植毛した毛材から構成される。ベースは装着者の頭に合わせて作られることが多い。ベースは硬い部材、柔らかい人工皮膚、ネット、フレームなどが用いられている。ネットなどの保形力が小さい素材を使用する場合は、縁やこめかみなどに剛性や弾性の保形力部材を取り付けることがある。また、フレームにも剛性や弾性の保形力部材を用いることがある。
従来のカツラは長時間装着するうちにベースがめくり上がりや歪み等が生じるカツラが多い。カツラはポリアミドやポリエステルをベース材料とし、不織又は編織して形成したネットベースや膜からなるベースが多く、長時間装着していると歪みが出ることが多くカツラを保形する手段が講じられている。
【０００３】
保形力のある材質として、合成樹脂、金属、形状記憶合金などがある。その形状は、線状材、テープ状片、平板、おわん状成形品、骨組みフレーム状などがある。例えば、保形部材を利用したカツラとしては次のような先行特許文献がある。
特許文献１（特許２５４５２４０号公報）形状記憶プラスチックを用いたもの（図１５参照、文献１の図１の援用であって、符号は本願発明とは無関係である。）、特許文献２（特開２００４−３５３１２６号公報）には、形状記憶合金製線材を屈曲してフレームを構成したもの（図１６参照。文献２の図３の援用であって、符号は本願発明とは無関係である。）、特許文献３（特許２５４９５５３号公報）、全頭カツラの縁等に、形状記憶合金製保形片を部分的に配置したもの（図１７参照。文献３の図５の援用であって、符号は本願発明とは無関係である。）が開示されている。特許文献４（特許２００２−３４８７１６号公報）には、形状記憶合金製線材で形成したカツラ用フレーム（図１８参照。文献４の図１の援用であって、符号は本願発明とは無関係である。）が開示されている。
【０００４】
これら、従来提案されている形状記憶機能を有する保形材料は、カツラ使用中に変形した場合、記憶形状を再現する温度に熱処理して形を戻すことができるが、装着者が自由に形を戻したり変形することはできない。また、最初に設計して成形した後の微調整などの整形加工性も困難である。金属製の場合は、加工性のほか先端や破損によって頭皮を傷つける危険がある。合成樹脂による成形は、型成形するか石膏で作ったような雄型の表面に液状合成樹脂を塗布して装着者の頭の形状に皮膜を形成する方法などによる。あるいは、レディメイドに準備し、周囲長を微調整する方法などがあるが、合成樹脂の場合は、基本的に曲面の変更などの整形には不向きである。
【０００５】
【特許文献１】特許２５４５２４０号公報
【特許文献２】特開２００４−３５３１２６号公報
【特許文献３】特許２５４９５５３号公報
【特許文献４】特開２００２−３４８７１６号公報
【発明の開示】
【発明が解決しようとする課題】
【０００６】
本願発明は、金属のような危険性がないものであって、ある程度の弾性変形があり、曲げ加工することができ、使用中に変形した場合に自由に戻すことができる塑性変形材料によるカツラ用保形材及びこの保形材を活用したカツラを提供することを課題とする。
【課題を解決するための手段】
【０００７】
本発明は、自由に折り曲げられて形状を保つことができるプラスチックをカツラ用保形材として用いることにより、装着者に対する安全性が高く、製造時に微調整などの加工性が良く、使用中に発生する歪みを装着者などが容易に矯正できる。
【０００８】
本発明の主な構成は次のとおりである。
（１）屈曲加工性及び保形性のある塑性変形性合成樹脂製のカツラベース用保形材を用いて形成したカツラ用ベースであって、
前頭側片部材と該前頭側片部材から後頭側に向けて複数の延片を併設して櫛歯型フレームを形成したことを特徴とするカツラ用ベース。
（２）屈曲加工性及び保形性のある塑性変形性合成樹脂製のカツラベース用保形材を用いて形成したカツラ用ベースであって、
外周部材と平行状あるいは格子状に設けられた桟部材を設けたカツラ用ベース。
（３）カツラベース用保形材が線状材又は扁平テープ状材であることを特徴とする（１）又は（２）記載のカツラ用ベース。
（４）カツラベース用保形材が被覆部材で被覆されていることを特徴とする（１）〜（３）のいずれかに記載のカツラ用ベース。
（５）被覆部材が布、不織布、伸縮性材料、糸、ネット、フィルム、塗膜のいずれか一種又は複数であること特徴とする（４）記載のカツラ用ベース。
（６）布あるいは不織布が樹脂塗布処理あるいは樹脂含浸処理したものであることを特徴とする（５）記載のカツラ用ベース。
（７）被覆部材によって部分的に剛性を変化させた被覆されたカツラベース用保形材であることを特徴とする（４）〜（６）のいずれかに記載のカツラ用ベース。
（８）（１）〜（７）のいずれかに記載のカツラ用ベースに植毛されたネット及び／又は植毛された薄膜を被覆したカツラ。
（９）（１）記載の櫛歯型フレームの延片の間から装着者の自毛を引きだして擬毛と自毛を混合して装着するタイプである薄毛用カツラであることを特徴とするカツラ。
（１０）植毛したネット及び／又は植毛した薄膜をベースとしたカツラにおいて、（３）〜（７）のいずれかに記載のカツラ用ベースの保形材を、カツラの内面側であって縁部、こめかみ部又は中央部のいずれかに配置したことを特徴とするカツラ。
【発明の効果】
【０００９】
本発明の主な効果は次のとおりである。
人間の頭部にフィットし、カツラの形態が保持又は変形後の形態保持が可能になる塑性変形性樹脂材料をカツラに使用することにより、装着時のフィット感や自由なスタイル変更可能なカツラを提供する。装着時に突然歪みなどが生じても、装着者自身が修正可能なので、緊急対応性に優れ、利用者の安心感を向上することができる。
【００１０】
また、他の素材で被覆した塑性変形性合成樹脂製カツラベース用保形材を用いることができる。この被覆されたカツラベース用保形材によって、色調や物性、基本形状などを容易に調整することが可能となる。被覆されたカツラベース用保形材を用いることにより、設計、製造、着用安定性を向上させることができる。被覆素材は、布、不織布、伸縮性材料、糸、ネット、フィルム、塗膜等を用いることができる。そして、布あるいは不織布が樹脂塗布処理あるいは樹脂含浸処理したものを用いることができ、塗布や含浸は部分的に量を変化させることができる。
合成樹脂を含浸あるいは塗布して剛性を高めた布素材等を用いて被覆された塑性変形性合成樹脂製カツラベース用保形材を用いた場合は、カツラベースは曲げ抵抗が大きくなり、初期形状の維持ができる。また、使用する部位によって剛性を変化させることができ、あるいは、一本の保形材を部分的に剛性を変化させることができる。
さらに、長手方向の表裏面の一方に短くした布などの被覆部材、あるいは、一方に伸縮力を強くした伸縮部材を用いることにより、片側に湾曲した保形材を得ることができる。カツラベースの形状維持安定性が向上する。
【００１１】
塑性変形性合成樹脂製カツラベース用保形材は、金属製針金のような引っかきキズ、突き刺しキズなどのケガの危険性が小さく安全でありながら、金属針金のように容易に変形させることができ、屈曲変形した形状を保つことができるので、当初設計にしたがって製造したカツラを利用者の実際の試着時に形を微調整することができる。
また、利用中に歪み等の不具合が発生した場合には、容易に再調整することができる。
さらに、カツラに金属材料を使う必要がないので、カツラの製造工程において、針などの金属の混入を検査する装置として金属探知器を使用することができるので、製品の安全性を向上することができる。
装着されたカツラは、飛行場等での金属検査に探知されないので、カツラの着用が露見せず、装着者の安心感を向上させることができる。
【００１２】
特に、高延伸ポリエチレン製を用いたカツラ用保形材は、ほとんどの薬品に対し、優れた耐薬品性があり、整髪化粧料やシャンプー、パーマ液などに対して変色などが発生する危険が少ない。
こめかみ部に胴やステンレスの金属片が使用されているカツラは、内側に折り曲げて使用するとこめかみ部に圧迫感が感じられることもあったが、本願発明の塑性変形性合成樹脂製カツラベース用保形材は圧迫感が少なくなりまたフェイスラインにフィットしやすい。
本願発明のカツラは、洗髪等の影響や、装着により長年の間に歪みや変形が生じても復元することができ、形状維持耐久性の向上が実現できるカツラである。
【発明を実施するための最良の形態】
【００１３】
本発明は、自由に折り曲げられて形状を保つことができるプラスチックをカツラ用保形材として用いることにより、装着者に対する安全性が高く、製造時に微調整などの加工性が良く、使用中に発生する歪みを装着者などが容易に矯正できるカツラを実現する。
さらに、被覆された塑性変形性合成樹脂製カツラベース用保形材を用いることにより、多様性、着用安定性を向上させることができる。
【００１４】
本願発明は、塑性変形性合成樹脂製のカツラベース用保形材及びそのカツラベースを用いたカツラを提供する。カツラベース用保形材は、骨組みとしてカツラ全体の基本形状を決定する機能あるいはカツラの部分の形状を保形する機能を果たす。このカツラベース用保形材は、植毛されたネット部材や人工皮膚の内側に配置される。
【００１５】
＜塑性変形性合成樹脂製カツラベース用保形材について＞
本願発明で云うところの「屈曲加工及び／又は保形材である塑性変形性合成樹脂」は、針金と同じく自由に折り曲げられ、屈曲加工された形状を保つ特性を持ったプラスチック製材料である。この塑性変形性合成樹脂は、例えば、ポリエチレン原糸を７倍以上に延伸して製造することができる。この塑性変形性合成樹脂は、線状あるいは扁平なテープ状又は幅広のシート状に形成することができる。例えば、商品名「テクノロート」（登録商標）（三井化学株式会社）、商品名「フォルテ」（登録商標）（積水成型工業株式会社）が存在する。具体的には、例えば、特許第３５８２８５４号公報「糸状又は帯状塑性変形性ポリエチレン材料及びその製造方法」に開示されている。
【００１６】
高延伸ポリエチレン製カツラ用保形材は、金属製針金のような引っかきキズ、突き刺しキズなどのケガの危険性が小さく安全でありながら、金属針金のように容易に変形させることができ、屈曲変形した形状を保つことができるので、当初設計にしたがって製造したカツラを利用者の実際の試着時に形を微調整することができる。また、利用中に歪み等の不具合が発生した場合には、容易に再調整することができる。また、高延伸ポリエチレン製を用いたカツラ用保形材は、ほとんどの薬品に対し、優れた耐薬品性があり、整髪化粧料やシャンプー、パーマ液などに対して変色などが発生する危険が少ない。材質は炭素と水素からなるポリオレフィンであるため、焼却炉で燃やしても灰の発生が少なく、有毒ガスも出ないので、廃棄処分も容易である。
さらに、カツラに金属材料を使う必要がないので、カツラの製造工程において、針などの金属の混入を検査する装置として金属探知器を使用することができるので、製品の安全性を向上することができる。装着されたカツラは、飛行場等での金属検査に探知されないので、カツラの着用が露見せず、装着者の安心感を向上させることができる。
【００１７】
基本形状は、線材あるいはテープ状である。テープの場合は、一様な厚みのテープと筋条に膨出部を設けたテープを用いることができる。筋条の膨出部を設けたテープは捻れ抵抗が大きくなるので方向性を持たせる場合に有利である。シート状材料は、切り抜き加工して分け目部分などの下地としての面材に適している。本発明で使用する塑性変形性合成樹脂は、延伸されているので、きつい絞り加工のような湾曲成形には適していないが、長い面材は緩い湾曲面付けは可能である。
【００１８】
本願発明に使用する保形材の形状の例を図１に示す。延伸されたポリエステルは、線材を（ｅ）に示す。断面は円形（ａ）や、扁平（ｃ）あるいは円形と扁平材を組み合わせた（ｂ）、（ｄ）などがある。（ｄ）に示すように、円形の膨生部を設けると、リブ機能を発揮して、ひねり抵抗が大きくなり、捻ったときは、逆に保形力が大きくなる。
【００１９】
＜被覆された塑性変形性合成樹脂製カツラベース用保形材について＞
塑性変形性合成樹脂製カツラベース用保形材を布袋等に挿入などして被覆することにより、被覆された塑性変形性合成樹脂製カツラベース用保形材（以下、単に「被覆されたカツラベース用保形材」と称する場合がある）を得ることができる。そして、布に合成樹脂を含浸あるいは塗布することにより、剛性を調整することができる。カツラベースを組み立てた後に、部分的に合成樹脂を塗布すると、その部分の剛性を高くすることができる。
被覆材料は、布、不織布、伸縮性材料、糸、ネット、フィルム、塗膜のいずれか一種又は複数を使用することができる。また、部分的に使用することもでき、カツラベースの部分毎に適切に組み合わせることもできる。例えば、こめかみ片の芯材や、前頭辺材などに他の部分より剛性が高い部材を使用すると、カツラベースの保形性が向上する。また、前頭から側頭にかけてのコーナー部の剛性を高くするとカツラベースの骨格が安定する。
被覆手段は、袋状にした被覆材に図１に示すような塑性変形性合成樹脂製カツラベース用保形材を挿入、あるいは、貼り付けや塗布することができる。貼り付けや塗布は、剥離の危険があるが、袋に挿入して、袋体と塑性変形性合成樹脂製カツラベース用保形材を密着させた場合は部分剥離が生じても、目立つことが無くカツラの使用には安全である。
布あるいは不織布を用いた場合は、樹脂塗布処理あるいは樹脂含浸処理することができ、部分的に処理すること、カツラベース組み立て後に処理することもできる。熱収縮性樹脂フィルムを用いて被覆した場合には、塑性変形性合成樹脂製カツラベース用保形材を被覆した後に加熱処理をすることにより、密着させることができる。樹脂としてシリコーン樹脂などが使用できる。
被覆されたカツラベース用保形部材を用いることにより、剛性に変化を持たせたカツラベースを作成することができ、設計の多様性が広がる。
【００２０】
図１３に被覆されたカツラベース用保形材の例を示す。保形材１と布製袋１１０を準備し、布製袋１１０に保形材１を挿入して、布製袋挿入保形材１２０とする。この布製袋挿入保形材１２０を樹脂液１０２が入っている含浸槽１０３に浸漬して、布に合成樹脂を浸透させる。合成樹脂を浸透させた布製袋挿入保形材１２０を含浸槽１０３から取り出し、加熱して合成樹脂を硬化させて、合成樹脂を含浸した布製袋で被覆した被覆されたカツラベース用保形材１０１を製造する。部分的な含浸を行う場合は、樹脂液を部分的に吹き付けや塗布により得ることができる。
【００２１】
＜塑性変形性合成樹脂製カツラベース用保形材を用いたカツラ用ベースについて＞
本願発明のカツラベース用保形材を用いて形成されるカツラ用ベースは、次のような例がある。なお、以下の記載は、特にことわらない限り、被覆されたカツラベース用保形材にも適用される。
保形材の配置は、線材を縦横に組み合わせ形成した網状タイプ、線材を平行にして配置した平行タイプ、こめかみ部分、前縁、ネ―プ部など変形し易い部分に配置する部分補強タイプなどがある。
保形材の使用形態は、頭頂部カツラ、全カツラ、全体保形、部分保形など各種の態様が可能である。
保形材の形成あるいは接合方法は、本プラスチック材料は、ハサミやナイフによって容易に切断することができるので、設計に応じて手作業で容易にカット調整することができる。
合成樹脂材料であるので、保形材相互の接合は、接着剤あるいは熱可遡性を利用した加熱融着手段を用いることができる。
細い線材や薄いテープ材を編み込む編成をすることができ、一枚のシートでは絞り加工のような深い湾曲加工は困難であるが、編成によって深い湾曲した形状である全頭を覆うカツラベースを形成することが可能である。また、捻って結着することもできるので、ループ状に巻き付けて結着することができる。
【００２２】
（１）頭頂部カツラの例
頭頂部から前頭にかけて脱毛して薄毛や無毛になる人が多い。特に男性には、このようなタイプが多い。このようなタイプには、カバー範囲や毛量をそれぞれの利用者に応じて設計する必要がある。この頭頂部をカバーする保形材の配置例を図２〜図４に示す。図２は外周フレーム２１と前頭部２ａから縦に複数の線材を中間フレーム２２，２３，２４として配置した縦フレームタイプのフレーム型カツラベース２である。図３は外周と中央部全体に格子状に中間メッシュ部３１を配置した網目タイプのメッシュ型カツラベース３である。図４は外周のフレームのみを形成した外周保形部材４１を設けた外周縁型カツラベース４である。これらにはそれぞれ植毛部材を被覆してカツラを形成する。
【００２３】
（２）カツラ保形材を配置した全カツラの例
ヘルメット型に頭の全体を覆う全頭タイプの全頭カツラベース５に本願発明のカツラ保形材の適用について説明する。
（２）−１  縁部保形
図５に縁部に保形材を配置した例を示す。カツラの変形やフィット感あるいは定置感を与える部分として縁部は重要である。図５（ａ）は縁全体に全縁カツラ保形材５１を配置した例を示す。図５（ｂ）は、こめかみ部分にこめかみ部分保形材５３を配置した例である。こめかみ部分は先側が浮くなど、変形し易いので、修正の必要性が高い。またこの例では、重点箇所として額頭部保形材５２とネープ部保形材５４も配置して、変形しやすい箇所をカバーしている。図５（ｃ）は、中間部に保形材を配置した例である。図示は、こめかみ部から頭上部にかけてこめかみから全頂部分保形材５５を配置した例である。
【００２４】
（２）−２中間部保形
図６に全体をネットベースなどで形成した全頭カツラベース６の中間部にカツラ保形材を配置した例を示す。これらの保形材によって中間部のフィット感を向上させることができる。図６（ａ）は側頭部と頂面部の境界部から頸部の後側偶部にかけて側頭部辺保形材６１を配置した例である。図６(ｂ)は耳上部から後頭部下辺に耳上水平周部保形材６３を配置した例である。この周囲がはち巻き状にしめられる部分があるので、緩むと、違和感が大きくなるので、簡単に調整して復元することは有用である。この例ではさらにこめかみ部保形材６２を配置した。図６(ｃ)は耳上部から頸部と後頭の境界部に後頸周部保形材６４を配置した例である。ちょうど頭蓋骨の下辺部にあたり、頭部側は動きが小さいが、頸部は回動や傾動が大きいので、その境界の緩みや変形に随時対応できるので、本発明の保形材の材性を十分に活用できる。
中間部はこのように頭の部分の境界付近に設けることが、本願発明の保形部材の随時補正・調整の性能を有効に発揮できる。
【００２５】
（２）−３全体保形
図７に、全頭カツラベース７を、本発明の保形材を用いて形成した例を示す。
図７(ａ)は、線状あるいは網目のテープ状の保形材で、網目状に組み合わせて形成したメッシュ状保形材７１を利用したものである。例えば、縦部材と横部材を編成することによってできる。外周部を線材で形成することもできる。この例は、全頭カツラベースを本発明の保形材のみで構成することも可能である。
図７（ｂ）は、植毛ネットなどのカツラの内面側に等高線状に等高線状保形材７２ａ〜７２ｚを配置した例である。
【００２６】
（２）−４ネープ部保形
図８にネープ部にネープ部保形材８１を配置した全頭カツラベースの８例を示す。エリ足部に該当するネープ部は頸が前後左右に大きく傾動するので、浮き上がりなどの変形が生じやすい部分である。ここに容易に復元調整可能な本願発明の保形材を用いることは、その機能を有効に発揮できる。
【００２７】
＜植毛部材（編み、ネット、人工皮膚）との取り合い＞
以上のように本発明の保形材を用いたカツラベースは、その上に植毛部材を被覆して、カツラを構成する。
【００２８】
植毛形成は通常用いられている植毛されたネットや人工スキンを用いることができる。また、みの毛を付着することもできる。
図２に示すフレーム状では各フレームに植毛部材を取り付けることができる。例えば、細長い、平らな部材あるいは棒材に、みの毛を貼り付けるあるいは袋状にして挿入するなどの手段を採用することができる。このような並設したフレームに独立して植毛材を取り付けたカツラは、そのフレームの間から自毛を引き出して、ミックスすることが容易であり、薄毛用の増毛手段として有効である。
【実施例】
【００２９】
頭頂部に用いるフレーム型カツラベースの実施例ついて説明する。
図９は、フレーム型カツラベース用保形材原型９を示す。この原型９は、やや湾曲している額部保形材９１に櫛の歯状線状に保形材を多数並設している。左右の両端を、右側骨部材９２、左側骨部材９３としその間を中間骨部材９４ａ〜９４ｚにて構成する。額部保形材９１は、他の保形材より幅広としても良いが、同断面形状とすることもできる。左右端の骨部材は、中間部と同一太さとすることもできるが、やや太くしても良い。
この原型９は、標準的なカツラベースに合わせていくつかの基準サイズを備えておくことができる。頭頂部用のカツラは、利用者の個々の頭髪の状態に合わせて形や大きさを測定して、設計することが多い。このカツラのユーザー個々の事情に合わせて、原型９は加工される。
この実施例では原型９は、保形材の素材として高倍率延伸ポリエチレンの線材（三井化学社製）を用いている。骨部材９２、９３、９４は約１ｍｍで約３００ｍｍ長のテープ材を１０ｍｍ間隔で配置した。額部保形材９１は、幅４ｍｍで長さ２００mmのテープ材を用いた。それぞれの厚さ約０．５ｍｍである。全体として馬蹄形となる。この高倍率延伸ポリエチレンの線材は、ハサミでも容易に切断することができ、利用者に合わせて幅や長さをトリミングすることができる。形状記憶合金材料では、正確なカットと屈曲加工、接合加工をユーザーの寸法取りの現場で行うことができないが、本原型はユーザー立ち会いの下に形を決定して、ユーザーに合わせたカツラベースを作成することができる。
【００３０】
以下に、具体的なプロセスを示す。
ステップ１．
前記フレーム型カツラベース用保形材原型９を準備する。
【００３１】
ステップ２．
フレーム型カツラベース用保形材原型９をカツラのユーザーの頭頂部１０に載せる（図１０参照）。
【００３２】
ステップ３．
頭のサイズに合わせ調整をする。
額部保形材９１の長さをカットして幅決めをする。
頭頂部から後頭部にかけてのカツラベースの長さ及び外周を決めるために、ユーザーの頭部側１０にて中間骨部材９４ａ〜９４ｚの長さを切りそろえる。左右の右側骨部材９２、左側骨部材９３は、切り揃えられた各中間骨部材の末端に添うように内側に曲げて交差部９４に至る長さにカットする（図１１参照）。なお、額部保形材９１の幅を詰めた場合に最初の両端骨部材が切り捨てられた場合は、残った中間骨部材９４の最外側が右側骨部材９２、左側骨部材９３に該当することになる。
【００３３】
ステップ４．
図１１に示される点線部内の保形材はカッティングされており、カットされた右側骨部材９２、左側骨部材９３の端部は交差部９４で熱融着等の手段により接合し、カツラベース９５の外周後部を形成する。切りそろえられた中間骨部材９４ａ〜９４ｚの端部は前記接合された右側骨部材９２、左側骨部材９３に熱溶着等の手段により接合されて、フレーム型カツラベース９５が完成する。
【００３４】
ステップ５．
このフレーム型カツラベース９５を植毛部材によって被覆してカツラを完成する。このフレーム型カツラベース９５は各縦方向に並んだ中間骨部材の間からユーザーの自毛を引き出すことが容易であるので、フレーム毎に植毛部材を取り付けるタイプのカツラに適している。
植毛手段は、各種適用でき、例えば、このフレーム型カツラベース９５に直接接着などに方法により植毛することもできる。あるいは蓑毛を縫製してフレームの各骨部材に被覆することもできる。あるいは植毛ネットを全体に被覆することもできるし、植毛薄膜を被覆することもできる。
【００３５】
図１４に被覆されたカツラベース用保形材をもちいたカツラベースの例を示す。全頭を覆うカツラベース１３０において、片持ち状態であって変形しやすいこめかみ部１３１の中央長手方向に被覆芯材１０４を取り付けた例である。この被覆芯材１０４は、図１３に記載した合成樹脂を含浸した布製袋で被覆した被覆されたカツラベース用保形材１０１を適当な長さに切断して作成することができる。更に、必要に応じて、前頭辺１３２、こめかみ辺１３４、ネープ部１３３等も被覆されたカツラベース用保形材を使用することにより、外形の安定性を向上させることができる。
また、図２や図３に記載された前頭部２ａ、３ａ、あるいは、図４、図５、図６にそれぞれ示された保形材に被覆されたカツラ用保形材を用いるとカツラベースの骨格の安定性が向上する。
【図面の簡単な説明】
【００３６】
【図１】塑性変形性合成樹脂製カツラベース用保形材の例を示す図。
【図２】塑性変形性合成樹脂製カツラベース用保形材を用いたフレーム型カツラベースを示す図。
【図３】塑性変形性合成樹脂製カツラベース用保形材を用いたメッシュ型カツラベースを示す図。
【図４】塑性変形性合成樹脂製カツラベース用保形材を用いた外郭型カツラベースを示す図。
【図５】全頭カツラにおいて、塑性変形性合成樹脂製カツラベース用保形材を縁部に配置した例を示す図。
【図６】全頭カツラにおいて、塑性変形性合成樹脂製カツラベース用保形材を中間部に配置した例を示す図。
【図７】全頭カツラにおいて、塑性変形性合成樹脂製カツラベース用保形材を全体に配置した例を示す図。
【図８】全頭カツラにおいて、塑性変形性合成樹脂製カツラベース用保形材をネープ部に配置した例を示す図。
【図９】本願実施例フレーム型カツラベース用保形材原型を示す図。
【図１０】本願実施例フレーム型カツラベース用保形材原型を載せた状態を示す図。
【図１１】本願実施例フレーム型カツラベース用保形材原型のトリミング状態を示す図。
【図１２】本願実施例のフレーム型カツラベースを示す図。
【図１３】被覆されたカツラベース用保形材の例。
【図１４】被覆されたカツラベース用保形材をもちいたカツラベースの例。
【図１５】特許文献１に開示されたカツラベースの例（従来例）。
【図１６】特許文献２の図３に開示されたカツラベースの例（従来例）。
【図１７】特許文献３の図５に開示されたカツラベースの例（従来例）。
【図１８】特許文献４の図１に開示されたカツラベースの例（従来例）。
【符号の説明】
【００３７】
１．保形材
２．フレーム型カツラベース
２ａ．前頭部
２２，２３，２４．中間フレーム
３．メッシュ型カツラベース
３ａ．前頭部
３１．中間メッシュ部
４．外周縁型カツラベース
４１．外周保形部材
５．全頭カツラベース
５１．全縁カツラ保形材
５２．額頭部保形材
５３．こめかみ部分保形材
５４．ネープ部保形材
５５．こめかみから全頂部分保形材
６．全頭カツラベース
６１．側頭辺部保形材
６２．こめかみ部保形材
６３．耳上水平周部保形材
６４．後頸周部保形材
７．全頭カツラベース
７１．メッシュ状保形材
７２ａ〜７２ｚ．等高線状保形材
８．全頭カツラベース
８１．ネープ部保形材
９．フレーム型カツラベース用保形材原型
９１．額部保形部材
９２．右側骨部材
９３．左側骨部材
９４．左右骨部材交差部
９４ａ〜９４ｚ．中間骨部材
９５．フレーム型カツラベース
１０．ユーザーの頭頂部
１０１．被覆されたカツラベース用保形材
１０２．樹脂液
１０３．含浸槽
１０４．被覆芯材
１１０．布製袋
１２０．布製袋挿入保形材
１３０．カツラベース
１３１．こめかみ部
１３２．前頭辺
１３４．こめかみ辺
１３３．ネープ部
【図１】
0005134913.tif 000002
【図２】
0005134913.tif 000003
【図３】
0005134913.tif 000004
【図４】
0005134913.tif 000005
【図５】
0005134913.tif 000006
【図６】
0005134913.tif 000007
【図７】
0005134913.tif 000008
【図８】
0005134913.tif 000009
【図９】
0005134913.tif 000010
【図１０】
0005134913.tif 000011
【図１１】
0005134913.tif 000012
【図１２】
0005134913.tif 000013
【図１３】
0005134913.tif 000014
【図１４】
0005134913.tif 000015
【図１５】
0005134913.tif 000016
【図１６】
0005134913.tif 000017
【図１７】
0005134913.tif 000018
【図１８】
0005134913.tif 000019